(57)【特許請求の範囲】
【請求項１】
金融機関に設置され、少なくとも窓口業務に関連する現金の入出金処理を行うと共に、収納庫内に収納されている現金を１枚づつ繰出して識別し、前記収納庫毎に設けられた一時保留部を経由して再度元の収納庫へ戻すことによって機内の現金の在高を自動的に確定することにより精査を行う出納機において、
搬送系を含む前記出納機全体を駆動するための各駆動部と、
前記出納機全体を制御すると共に各種情報を記憶するためのCPUと、
前記各駆動部及び前記CPUに電源を供給する電源部と、
該電源部から独立した内蔵バッテリーから電源が供給されて駆動されると共に、時計及びカレンダー情報を備えて予め設定された日時に前記電源部の電源を投入して前記精査の制御を前記CPUに行わせ、前記精査の終了時には前記電源部の電源を落とす制御を行うSUBCPUと、
精査日の設定をどれだけの期間毎に行わせるかの選択画面を表示して操作者に入力させる表示入力手段と、
前記入力された期間の初めの日が来る毎に所定方法により精査日を設定し、所定の時刻に精査を自動的に行わせるための精査日時設定手段とを具備するとともに、
前記の精査後に、終了情報、在高データ、計数結果を含む精査結果を出力するための電子ジャーナル及びジャーナルとをさらに備え、
前記表示入力手段が前記自動精査実施後に前記電源部がオンにされた時に既にリジェクトされていた紙幣を前記精査結果に入れる為の処理案内画面を表示し、
前記電子ジャーナル及びジャーナルが前記リジェクト紙幣を受け入れ計数した結果を前記精査結果に反映させた精査結果を出力することを特徴とする出納機。
【請求項２】
更に、前記精査日時設定手段は、前記選択入力手段により入力された期間が１日である場合に、当日の所定の時刻に自動精査を行わせるかを所定の抽選方法で抽選して決定することを特徴とする請求項１記載の出納機。
【請求項３】
前記リジェクト紙幣を計数した結果、再度リジェクトされた場合に、前記表示入力手段が該リジェクト紙幣の金種・枚数の入力を受付け、前記電子ジャーナル及びジャーナルが前記の更新された精査結果に反映させた精査結果を出力することを特徴とする請求項１に記載の出納機。
【請求項４】
金融機関に設置され、少なくとも窓口業務に関連する現金の入出金処理を行うと共に、収納庫内に収納されている現金を１枚づつ繰出して識別し、前記収納庫毎に設けられた一時保留部を経由して再度元の収納庫へ戻すことによって機内の現金の在高を自動的に確定する精査処理を、内蔵バッテリーにより駆動されるSUBCPUの記憶内容に基づいて不定期に行う出納機の精査方法において、
精査日の設定をどれだけの期間毎に行わせるかの選択画面を表示して操作者に入力させるステップと、
前記入力された期間の初めの日が来る毎に所定方法により前記精査日を設定するステップと、
前記SUBCPUが前記精査日の所定の時刻に前記出納機の電源をオンにするステップと、
前記出納機に精査を自動的に行わせるステップと、
終了時に精査結果を記憶し、ジャーナルに印字すると共に電子ジャーナルに出力するステップと、
前記SUBCPUが前記精査の終了後に出納機の電源を落とすステップと、
次に前記出納機の電源が入れられたときに、リジェクト紙幣の計数を操作者に促すステップと、
前記リジェクト紙幣を計数して得られた金種枚数を記憶されている精査結果に追加するステップとを備えたことを特徴とする出納機の精査方法。

【発明の詳細な説明】
【０００１】
【発明の属する技術分野】
本発明は、金融機関等に設置される現金の入出金を管理する現金処理機及びその精査方法に関し、特に不定期に夜間自動精査を自動的に行うようにした現金処理機及びその精査方法に関する。
【０００２】
【従来の技術】
従来銀行等の金融機関では、現金の入出金を管理する出納機やＡＴＭ（現金自動受払機）といった現金処理機を多数設けている。そして、それらの現金処理機では、機内の在高データと実際の現金が一致しているかどうかを確認する精査という作業が行われている。有るべき在高データと実際の現金金額が違うこと（現金事故）が発生した場合も、この精査によって明らかになるはずである。
【０００３】
窓口係員が使用する現金入出金機などは、業務の終了後に毎日全ての現金を回収して精査が行われるが、出納室などに設けられる現金入出金機は非常に多くの現金が収納されており、精査に非常に多くの時間を要し、しかも外交員などが外交から戻ってきた遅い時間帯に使用されるため、精査は通常１ヶ月に１回もしくは２回程度行われている。また、銀行の各機械には担当者が割り当てられており、その担当者が精査を行うようになっている。
【０００４】
一方、精査の方法としては、機械担当者（操作員）が精査の指示を行うと機械内の現金収納庫から現金を１枚ずつ繰り出して識別計数し、再度元の収納庫へ戻すことによって、収納庫内の現金の在高を自動的に確定するようにしている。それと同時に、出金の際に、２枚出しや斜行等の要因で金種、枚数の判定ができなかった現金が収納されているリジェクト庫の中の現金を担当者が手操作で取り出し、金種別の枚数を確認し、現金入出金機の入力部から入力することによってリジェクト庫の現金の在高を確定し、両方の在高の合計と機械に記憶されている在高データとの比較によって精査を行っていた。
【０００５】
図８は従来の一般的な精査業務の流れを示しており、営業店に設置された現金処理機では、本部（本店）から電話やＦＡＸで精査指令を受けると（ステップＳ１００）、機械担当者が自分のＩＤカードを挿入し（ステップＳ１０１）、それにより表示された図９に示すようなメニュー画面で自動精査を指示し（ステップＳ１０２，Ｓ１０３）、実行キーを操作する（ステップＳ１０４）。これにより精査が実行され（ステップＳ１０５）、その結果を表示部に表示すると共に、印字するようになっている（ステップＳ１０６）。
【０００６】
【発明が解決しようとする課題】
前述した出納室などに設置される出納機のように、１ヶ月に１回もしくは２回程度しか精査を行わない機械の場合、機械担当者自らが機械内の現金を鍵によって取り出し、不正持ち出しを行い、精査時のみ他の機械から現金を一時的に借りてきて、鍵によってその現金を収納庫に入れて精査を行い、精査結果に異常がないようにみせかけるといった不正行為が行われてしまうといった問題があった。
【０００７】
また、出納室などに設けられる現金入出金機には、非常に多くの現金が収納されている関係上、収納庫から１枚ずつ全ての現金を繰り出して識別計数し、元の出納庫に戻すのには多くの時間を必要とし、業務時間内に行うと精査中の銀行業務はストップするため、他の業務が終了した後で行うことになる。一般的に、精査が終了するまでは業務終了とならないため機械担当者はもとより、場合によっては銀行員全員が遅くまで拘束されるという問題があった。
【０００８】
本発明は上述のような事情によりなされたものであり、本発明の目的は、不定期に夜間自動精査を行うようにした現金処理機及びその精査方法を提供することにある。
【０００９】
【課題を解決するための手段】
本発明は、金融機関に設置され、少なくとも窓口業務に関連する現金の入出金処理を行うと共に、収納庫内に収納されている現金を１枚づつ繰出して識別し、前記収納庫毎に設けられた一時保留部を経由して再度元の収納庫へ戻すことによって機内の現金の在高を自動的に確定することにより精査を行う出納機に関し、本発明の上記目的は、
搬送系を含む前記出納機全体を駆動するための各駆動部と、前記出納機全体を制御すると共に各種情報を記憶するためのCPUと、前記各駆動部及び前記CPUに電源を供給する電源部と、該電源部から独立した内蔵バッテリーから電源が供給されて駆動されると共に、時計及びカレンダー情報を備えて予め設定された日時に前記電源部の電源を投入して前記精査の制御を前記CPUに行わせ、前記精査の終了時には前記電源部の電源を落とす制御を行うSUBCPUと、精査日の設定をどれだけの期間毎に行わせるかの選択画面を表示して操作者に入力させる表示入力手段と、前記入力された期間の初めの日が来る毎に所定方法により精査日を設定し、所定の時刻に精査を自動的に行わせるための精査日時設定手段とを具備するとともに、前記の精査後に、終了情報、在高データ、計数結果を含む精査結果を出力するための電子ジャーナル及びジャーナルとをさらに備え、前記表示入力手段が前記自動精査実施後に前記電源部がオンにされた時に既にリジェクトされていた紙幣を前記精査結果に入れる為の処理案内画面を表示し、前記電子ジャーナル及びジャーナルが前記リジェクト紙幣を受け入れ計数した結果を前記精査結果に反映させた精査結果を出力することによって達成される。
【００１１】
【発明の実施の形態】
以下、図面に基づいて本発明の好適な実施形態について詳細に説明する。
【００１２】
本発明に係る現金処理機は、金融機関等の営業店に設置される出納機を想定しており、本実施形態では、出納機について説明する。図１は出納機１００の構成例を示す図である。
【００１３】
即ち、装置上部には操作案内や必要情報の表示を行う表示部１０１と、必要なデータ入力や指示を操作する入力部１０２とが設けられており、紙幣を入金処理するために投入する入金口１０３が設けられている。入金口１０３に投入された紙幣は識別部１１０で金種、真偽等を識別され、表裏反転部１１１で表裏を揃えられ、真紙幣は金種（万円、５千円、２千円、千円）毎に一時保留部１２１〜１５１を経てそれぞれ収納庫１２０〜１５０に収納される。また、偽紙幣等は識別部１１０からリジェクト口１０４に排出される。収納庫１２０〜１５０に収納された紙幣は、出金指令の場合は出金金種に応じて１枚ずつ繰り出され、出金識別部１１２を経て出金口１０６に投出され、２枚出しや斜行等の異常紙幣はリジェクト庫１０５に収納される。なお、リジェクト庫１０５にはシャッタ（図示せず）が設けられており、シャッタが開かないと収納された紙幣を取出すことができないようになっている。
【００１４】
また、精査処理が行われる場合には、全ての金種紙幣が１枚ずつ順次繰り出され、出金識別部１１２を経て、更に一時保留部１２１〜１５１を経てそれぞれ収納庫１２０〜１５０に再収納される。出納機１００はまた、精査処理の精査結果を出力するためのジャーナル１０７及び電子ジャーナル１０８を有すると共に、操作員のＩＤカードを受付けるためのカードリーダ１６１を備えている。更に、機械全体の制御を行うと共に電源を提供する電源駆動部２００（図２に示す）を備えている。
【００１５】
図２は、図１に示すような出納機１００の電源駆動部２００の構成を示すブロック図である。図２に示されるように、電源駆動部２００は、紙幣搬送系及びＣＰＵ２３０用の電源を提供するための電源部２１０、出納機１００全体を駆動するための各駆動部２２０、出納機１００全体を制御すると共に各種必要な情報を記憶するためのＣＰＵ２３０、内蔵バッテリー２４１により稼動されるＳＵＢＣＰＵ２４０を備えている。なお、ＳＵＢＣＰＵ２４０には、内蔵バッテリー２４１を有しているため、電源部２１０がＯＦＦされていても、常時にカレンダー情報を持つと共に稼動可能な状態になっている。
【００１６】
上述したような構成を有する出納機１００について、夜間自動精査の設定手順を以下のように説明する。なお、夜間自動精査を設定できる者は、金融機関等の営業店の現金処理機の責任者である例えば支店長とする。
【００１７】
まず、現金処理機の責任者である支店長が自分のＩＤカードを出納機１００のカードリーダ１６１に挿入すると、表示部１０１に図３に示すようなメニュー画面（メインメニュー）が表示される。そして、支店長がユーザー設定を指示すると、図４に示すようなメニュー画面（ユーザー設定）が表示され、カード権限設定を指示すると、挿入されたカードの権限が認証される。
【００１８】
認証ができた場合、さらに、夜間自動精査設定を指示すると、図５に示すような夜間自動精査設定画面が表示される。支店長が所望の夜間自動精査をこの夜間自動精査設定画面の各項目を指示することにより設定する。図５に示す夜間自動精査設定画面において、黒丸の付いた項目は指示選択されたことを意味し、即ち図５は、夜間自動精査が有り、隔週毎に所定方法により決定された精査日の０時００分（要は夜中）に行う夜間自動精査で、精査結果は通知しないとのことを意味する。
【００１９】
図５をより詳しく説明すると、スケジュール運用の場合、スケジュール運用の設定に基づき、所定期間（１週間、２週間、１ヶ月）の初めに、所定方法により精査日を設定する。ここの所定方法は、例えばオペレーティング・システムの乱数発生機能により取得した乱数による抽選を行い精査日を設定するような方法を採用しても良い。例えば、毎週の場合に、月曜日の朝一に確率が１／７の乱数を取得し、実施曜日を決定する。隔週の場合に、隔週の月曜日の朝一に確率が１／１４の乱数を取得し、実施曜日を決定する。毎月の場合に、月初めの朝一にカレンダー情報からの乱数を取得し、実施曜日を決定する。
【００２０】
次に、図１及び図２に示すような構成を有する出納機１００の動作を図６のフローチャートを参照して説明する。
【００２１】
金融機関の平日の業務時間帯においては、営業店に設置されている出納機１００は通常の動作を行い、そして、通常の業務が終了した時点で、（ステップＳ２０１）、電源部２１０はＯＦＦされるが（ステップＳ２０２）、内蔵バッテリー２４１により稼動されるＳＵＢＣＰＵ２４０は常時稼動状態となっているので、自動精査日かどうかを判定する（ステップＳ２０３）。自動精査日でなければ、その日の翌日までに、出納機１００は電源がＯＦＦされたままである。
【００２２】
一方、自動精査日と判定されれば、出納機１００は設定された開始時刻になるのを待ち続ける（ステップＳ２０４）。設定された開始時刻になったときに、出納機１００は電源部２１０を自動的にＯＮし（ステップＳ２０５）、自動精査を実施する（ステップＳ２０６）。自動精査は収納庫１２０〜１５０に収納されている各金種の紙幣を順次１枚ずつ繰り出し、出金識別部１１２を通して計数し、一時保留部１２１〜１５１を経て収納庫１２０〜１５０に再収納することによって行われる。要は、ここの自動精査は収納庫１２０〜１５０に収納された現金の計数処理を意味する。
【００２３】
このような自動精査が終了すると、精査結果はジャーナル１０７及び電子ジャーナル１０８の両方に出力される（ステップＳ２０７）。精査結果は終了情報、在高データ、計数結果である。なお、この計数結果にリジェクト庫の現金を含まない。その後、出納機１００は電源部２１０を自動的にＯＦＦし（ステップＳ２０８）、動作を終了する。
【００２４】
そして、翌日に、金融機関の現金処理機の機械担当者である行員は、出納機１００の電源部２１０をＯＮにしてから（ステップＳ２０９）、自分のＩＤカードを出納機１００のカードリーダ１６１に挿入する。ＩＤカードによる認証が行われる（ステップＳ２１０）。認証がＯＫされて（ステップＳ２１１）、自動精査済が確認されてから（ステップＳ２１２）、表示部１０１に図７に示すようなリジェクト戻しのガイダンス表示画面が表示される（ステップＳ２１３）。
【００２５】
担当者である行員は、リジェクト戻しをするために、リジェクト庫１０５から紙幣を取り出し、その紙幣を入金口１０３に投入し、入金口１０３に投入された紙幣は自動計数され、各一時保留部を介して各収納部に収納される。一方、自動計数できなかった紙幣は再度リジェクト口１０４に排出されるので、その紙幣については目視確認を行った上で金額を手入力することにより手動精査を行う（ステップＳ２１４）。手動精査の精査結果を自動精査の精査結果に参照させるようにして得られた最終精査結果をジャーナル１０７及び電子ジャーナル１０８の両方に出力する（ステップＳ２１５）。それにより精査を完了し（ステップＳ２１６）、通常業務を開始する（ステップＳ２１７）。
【００２６】
なお、上述したように夜間自動精査設定を図５に示すような夜間自動精査設定画面により、スケジュール運用の場合について説明したが、図５に示すような夜間自動精査設定画面に、スケジュール運用という事項を「無し」に、且つ実施曜日という事項を「不定期」に、指示する場合（以下これを不定期自動精査と称する）に、下記のように説明する。
【００２７】
不定期自動精査に設定される場合は、要は毎日、精査日かどうかを所定方法で抽選し、その抽選結果に基づき夜間自動精査を自動的に行う。ここの所定方法は、例えば、電源部２１０のＯＦＦ時の時刻の所定箇所の数字を用いて前記抽選結果を決めるようにする。ここで、電源部２１０がＯＦＦされた時刻は、例えば１８時０２分３２秒０５５ミリ秒とする。出納機１００の画面表示は１８時０２分までに表示されるが、出納機１００の内部管理は１８時０２分３２秒０５５ミリ秒までできる。要は、出納機１００の操作者である行員は、画面上から１８時０２分までは分かるが、その３２秒０５５ミリ秒までは画面上から察知不可能である。
【００２８】
よって、この行員に察知されない数値を利用して抽選すれば、その日は精査日であるかどうかは予測不可能である。例えば、このミリ秒の下１桁を予め設定された数字（例えば９である）と比べて、等しいときは精査日とし、等しくないときは精査日としない。本例の場合は５であるため、精査日としない。このような方法を採用する場合、０〜９の内、９の場合のみ精査日となるので、確率は１／１０となり、約１０日に１回の精査の実施となる。
【００２９】
上述では、紙幣についての精査を説明したが、硬貨に関しても同様である。
【００３０】
なお、夜間自動精査の精査結果は、出納機１００にモデムを備えることにより、図５に示す結果メール通知を「有り」にし、そのモデムを介して接続されている本店などの監視サーバー、あるいは責任者の携帯電話やＰＨＳなどの移動通信端末のメールアドレスに通知するようにしても良い。
【００３１】
【発明の効果】
以上のように、本発明に係る現金処理機及びその精査方法によれば、夜間という業務時間帯外に不定期に精査を行うことにより、金融業務に支障を来すことなく、更に、銀行員の拘束時間を大幅に減らすことができるという効果を奏する。また、夜間自動精査ということで銀行員などの人間の操作なしに、現金事故を確実かつ迅速に発見することができるという効果を奏する。
【００３２】
また、現金処理機が自立で精査できるので、場所も選ばず別途費用もかからないという効果を奏する。
【００３３】
更に、不定期に自動精査を行うために、要は精査日の決定方法により精査日の予測が不可能であるため、銀行員に察知されずに抜打ち監査が徹底的に可能になり、よって不正行為を有効に抑止することができるという絶大な効果を奏する。
【図面の簡単な説明】
【図１】本発明に係る現金処理機（出納機）の一例を示す構成図である。
【図２】出納機の電源駆動部を示すブロック図である。
【図３】出納機のメインメニュー画面の一例を示す画面図である。
【図４】出納機のユーザ設定画面の一例を示す画面図である。
【図５】出納機の夜間自動精査設定画面の一例を示す画面図である。
【図６】本発明の動作例を示すフローチャートである。
【図７】出納機のリジェクト戻しのガイダンス表示画面の一例を示す画面図である。
【図８】従来の一般的な精査業務の流れを示すフローチャートである。
【図９】メニュー画面の一例を示す図である。
【符号の説明】
１００    出納機
１０１    表示部
１０２    入力部
１０３    入金口
１０４    リジェクト口
１０５    リジェクト庫
１０６    出金口
１０７    ジャーナル
１０８    電子ジャーナル
１１０    識別部
１１１    表裏反転部
１１２    出金識別部
１２０、１３０，１４０，１５０    収納庫
１２１、１３１，１４１，１５１    一時保留部
１６１    カードリーダ
２００    電源駆動部
２１０    電源部
２２０    各駆動部
２３０    ＣＰＵ
２４０    ＳＵＢＣＰＵ
２４１    バッテリー
【図１】
0004050879.tif 000002
【図２】
0004050879.tif 000003
【図３】
0004050879.tif 000004
【図４】
0004050879.tif 000005
【図５】
0004050879.tif 000006
【図６】
0004050879.tif 000007
【図７】
0004050879.tif 000008
【図８】
0004050879.tif 000009
【図９】
0004050879.tif 000010